(57)【特許請求の範囲】
【請求項１】
母体内部に配置されたワークの座標を測定する位置測定装置であって、
前記母体を載置するためのステージと、
電子を発生させる陰極と、前記陰極から発生した電子がぶつかることによりＸ線を発生させるターゲットと、を含み、Ｘ線を前記ステージに向けて照射するＸ線照射装置と、
前記Ｘ線照射装置から照射されて前記ステージ上にある前記母体を透過したＸ線を検出し、前記母体内部の前記ワークのＸ線画像データを作成する撮像装置と、
前記撮像装置から送られてきた前記Ｘ線画像データを処理することによって、前記母体内部における前記ワークの座標を算出する演算装置と、
を備え、
前記演算装置には、前記Ｘ線照射装置が始動してからの経過時間と、前記ターゲットの変形によって生じる、前記撮像装置により得られるＸ線画像のずれ量と、の関係をプロットした曲線状の検量線が記憶されており、
前記演算装置は、前記ワークの撮像時点での前記ターゲットの変形によって生じた、前記撮像装置により得られるＸ線画像のずれ量を、前記検量線に基づいて求め、当該ずれ量を補正した上で、前記母体内部における前記ワークの座標を算出するように構成され、
前記ステージにはキャリブレーションマークが形成されており、以下のように動作することを特徴とする、位置測定装置。
（１）前記Ｘ線照射装置が始動してから不特定の時間が経過した第１時点（Ｔ１）において、前記撮像装置により前記キャリブレーションマークを撮像し、前記演算装置において、得られたＸ線画像データから前記キャリブレーションマークの第１時点（Ｔ１)の座標（Ｃ１）を求める。
（２）前記第１時点（Ｔ１）から特定の時間が経過した第２時点（Ｔ２）において、前記撮像装置により前記キャリブレーションマークを再び撮像し、前記演算装置において、得られたＸ線画像データから前記キャリブレーションマークの第２時点（Ｔ２)の座標（Ｃ２）を求める。
（３）前記演算装置において、前記第１時点（Ｔ１)の座標（Ｃ１）と、前記第２時点（Ｔ２)の座標（Ｃ２）と、の傾きと同じ傾きを有する前記検量線上の位置を求め、前記検量線上の位置に該当する、前記検量線における基準時間(ｔ３)を、ｔ３＝α／｛（Ｃ２−Ｃ１）／（Ｔ２−Ｔ１）｝の式（ただし、αは、検量線を、Ａｎ＝α［log｛ｔ３＋（Ｔｘ−Ｔ１）｝−logｔ３］といった対数曲線で表わしたときの傾き係数であり、ＴｘはワークのＸ線画像データの撮像時点である。）により求め、次いで、前記検量線における前記基準時間(ｔ３)から実際の基準時間（Ｔ３）を求める。
（４）前記撮像装置により前記母体内部の前記ワークを撮像し、前記ワークのＸ線画像データの撮像時点（Ｔｘ）と前記実際の基準時間（Ｔ３）との差を、前記検量線における前記基準時間（ｔ３）に加え、前記検量線における撮像時点（ｔｘ）を求め、次いで、前記検量線における撮像時点（ｔｘ）におけるずれ量から、前記検量線における前記基準時間（ｔ３）におけるずれ量を引く。
（５）前記ずれ量を補正した上で、前記母体内部における前記ワークの座標を算出する。
【請求項２】
母体内部に配置されたワークの座標を測定する位置測定方法であって、
ステージ上に前記母体を載置する工程と、
Ｘ線照射装置により前記母体にＸ線を照射する工程と、
撮像装置により前記母体を透過したＸ線を検出し、前記母体内部の前記ワークのＸ線画像データを作成する工程と、
前記Ｘ線画像データを処理することによって、前記母体内部における前記ワークの座標を算出する工程と、
を備え、
前記Ｘ線照射装置は、電子を発生させる陰極と、前記陰極から発生した電子がぶつかることによりＸ線を発生させるターゲットと、を含み、
Ｘ線照射装置が始動してからの経過時間と、前記ターゲットの変形によって生じる、前記撮像装置により得られるＸ線画像のずれ量と、の関係をプロットした曲線状の検量線を作成しておく工程をさらに備え、
前記ワークの座標を算出する工程は、前記ワークの撮像時点での前記ターゲットの変形によって生じた、前記撮像装置により得られるＸ線画像のずれ量を、前記検量線に基づいて求め、当該ずれ量を補正した上で、前記母体内部における前記ワークの座標を算出する工程を含み、
前記ステージにはキャリブレーションマークが形成されており、前記ワークの座標を算出する工程は、以下の工程を含むことを特徴とする、位置測定方法。
（１）前記Ｘ線照射装置が始動してから不特定の時間が経過した第１時点（Ｔ１）において、前記撮像装置により前記キャリブレーションマークを撮像し、前記演算装置において、得られたＸ線画像データから前記キャリブレーションマークの第１時点（Ｔ１)の座標（Ｃ１）を求める工程。
（２）前記第１時点（Ｔ１）から特定の時間が経過した第２時点（Ｔ２）において、前記撮像装置により前記キャリブレーションマークを再び撮像し、前記演算装置において、得られたＸ線画像データから前記キャリブレーションマークの第２時点（Ｔ２)の座標（Ｃ２）を求める工程。
（３）前記演算装置において、前記第１時点（Ｔ１)の座標（Ｃ１）と、前記第２時点（Ｔ２)の座標（Ｃ２）と、の傾きと同じ傾きを有する前記検量線上の位置を求め、前記検量線上の位置に該当する、前記検量線における基準時間(ｔ３)を、ｔ３＝α／｛（Ｃ２−Ｃ１）／（Ｔ２−Ｔ１）｝の式（ただし、αは、検量線を、Ａｎ＝α［log｛ｔ３＋（Ｔｘ−Ｔ１）｝−logｔ３］といった対数曲線で表わしたときの傾き係数であり、ＴｘはワークのＸ線画像データの撮像時点である。）により求め、次いで、前記検量線における前記基準時間(ｔ３)から実際の基準時間（Ｔ３）を求める工程。
（４）前記撮像装置により前記母体内部の前記ワークを撮像し、前記ワークのＸ線画像データの撮像時点（Ｔｘ）と前記実際の基準時間（Ｔ３）との差を、前記検量線における前記基準時間（ｔ３）に加え、前記検量線における撮像時点（ｔｘ）を求め、次いで、前記検量線における撮像時点（ｔｘ）におけるずれ量から、前記検量線における前記基準時間（ｔ３）におけるずれ量を引く工程。
（５）前記ずれ量を補正した上で、前記母体内部における前記ワークの座標を算出する工程。
【請求項３】
母体内部に配置されたワークの座標に関連する位置に基準マークを形成するためのマーク形成装置であって、
前記母体を載置するためのステージと、
電子を発生させる陰極と、前記陰極から発生した電子がぶつかることによりＸ線を発生させるターゲットと、を含み、Ｘ線を前記ステージに向けて照射するＸ線照射装置と、
前記Ｘ線照射装置から照射されて前記ステージ上にある前記母体を透過したＸ線を検出し、前記母体内部の前記ワークのＸ線画像データを作成する撮像装置と、
前記撮像装置から送られてきた前記Ｘ線画像データを処理することによって、前記母体内部における前記ワークの座標を算出するとともに、前記ワークの座標に基づいて前記基準マークの位置となる基準マーク形成予定位置を算出する演算装置と、
前記母体における前記演算装置により算出された前記基準マーク形成予定位置に、前記基準マークを形成する基準マーク形成機構と、
を備え、
前記演算装置には、前記Ｘ線照射装置が始動してからの経過時間と、前記ターゲットの変形によって生じる、前記撮像装置により得られるＸ線画像のずれ量と、の関係をプロットした曲線状の検量線が記憶されており、
前記演算装置は、前記ワークの撮像時点での前記ターゲットの変形によって生じた、前記撮像装置により得られるＸ線画像のずれ量を、前記検量線に基づいて求め、当該ずれ量を補正した上で、前記母体内部における前記ワークの座標を算出するように構成され、
前記ステージにはキャリブレーションマークが形成されており、前記ワークの座標を算出するため、以下のように動作することを特徴とする、マーク形成装置。
（１）前記Ｘ線照射装置が始動してから不特定の時間が経過した第１時点（Ｔ１）において、前記撮像装置により前記キャリブレーションマークを撮像し、前記演算装置において、得られたＸ線画像データから前記キャリブレーションマークの第１時点（Ｔ１)の座標（Ｃ１）を求める。
（２）前記第１時点（Ｔ１）から特定の時間が経過した第２時点（Ｔ２）において、前記撮像装置により前記キャリブレーションマークを再び撮像し、前記演算装置において、得られたＸ線画像データから前記キャリブレーションマークの第２時点（Ｔ２)の座標（Ｃ２）を求める。
（３）前記演算装置において、前記第１時点（Ｔ１)の座標（Ｃ１）と、前記第２時点（Ｔ２)の座標（Ｃ２）と、の傾きと同じ傾きを有する前記検量線上の位置を求め、前記検量線上の位置に該当する、前記検量線における基準時間(ｔ３)を、ｔ３＝α／｛（Ｃ２−Ｃ１）／（Ｔ２−Ｔ１）｝の式（ただし、αは、検量線を、Ａｎ＝α［log｛ｔ３＋（Ｔｘ−Ｔ１）｝−logｔ３］といった対数曲線で表わしたときの傾き係数であり、ＴｘはワークのＸ線画像データの撮像時点である。）により求め、次いで、前記検量線における前記基準時間(ｔ３)から実際の基準時間（Ｔ３）を求める。
（４）前記撮像装置により前記母体内部の前記ワークを撮像し、前記ワークのＸ線画像データの撮像時点（Ｔｘ）と前記実際の基準時間（Ｔ３）との差を、前記検量線における前記基準時間（ｔ３）に加え、前記検量線における撮像時点（ｔｘ）を求め、次いで、前記検量線における撮像時点（ｔｘ）におけるずれ量から、前記検量線における前記基準時間（ｔ３）におけるずれ量を引く。
（５）前記ずれ量を補正した上で、前記母体内部における前記ワークの座標を算出する。
【請求項４】
前記母体は、積層された複数のセラミックグリーンシートからなり、内部に未焼成の内部電極パターンが配置された、セラミックグリーンブロックであり、前記ワークは、前記内部電極パターンである、請求項３に記載のマーク形成装置。
【請求項５】
前記ステージは、前記撮像装置と前記基準マーク形成機構との間を移動できるように構成される、請求項３または４に記載のマーク形成装置。
【請求項６】
前記ステージ、前記Ｘ線照射装置、前記撮像装置、および前記基準マーク形成機構が１つの筐体に収納される、請求項３ないし５のいずれかに記載のマーク形成装置。
【請求項７】
母体内部に配置されたワークの座標に関連する位置に基準マークを形成するためのマーク形成方法であって、
ステージ上に前記母体を載置する工程と、
Ｘ線照射装置により前記母体にＸ線を照射する工程と、
撮像装置により前記母体を透過したＸ線を検出し、前記母体内部の前記ワークのＸ線画像データを作成する工程と、
前記Ｘ線画像データを処理することによって、前記母体内部における前記ワークの座標を算出するとともに、前記ワークの座標に基づいて前記基準マークの位置となる基準マーク形成予定位置を算出する工程と、
前記母体における前記基準マーク形成予定位置に前記基準マークを形成する工程と、
前記基準マークに基づいて、前記母体に対して所定の加工を行なう工程と、
を備え、
前記Ｘ線照射装置は、電子を発生させる陰極と、前記陰極から発生した電子がぶつかることによりＸ線を発生させるターゲットと、を含み、
Ｘ線照射装置が始動してからの経過時間と、前記ターゲットの変形によって生じる、前記撮像装置により得られるＸ線画像のずれ量と、の関係をプロットした曲線状の検量線を作成しておく工程をさらに備え、
前記ワークの座標を算出する工程は、前記ワークの撮像時点での前記ターゲットの変形によって生じた、前記撮像装置により得られるＸ線画像のずれ量を、前記検量線に基づいて求め、当該ずれ量を補正した上で、前記母体内部における前記ワークの座標を算出する工程を含み、
前記ステージにはキャリブレーションマークが形成されており、前記ワークの座標を算出する工程は、以下の工程を含むことを特徴とする、マーク形成方法。
（１）前記Ｘ線照射装置が始動してから不特定の時間が経過した第１時点（Ｔ１）において、前記撮像装置により前記キャリブレーションマークを撮像し、前記演算装置において、得られたＸ線画像データから前記キャリブレーションマークの第１時点（Ｔ１)の座標（Ｃ１）を求める工程。
（２）前記第１時点（Ｔ１）から特定の時間が経過した第２時点（Ｔ２）において、前記撮像装置により前記キャリブレーションマークを再び撮像し、前記演算装置において、得られたＸ線画像データから前記キャリブレーションマークの第２時点（Ｔ２)の座標（Ｃ２）を求める工程。
（３）前記演算装置において、前記第１時点（Ｔ１)の座標（Ｃ１）と、前記第２時点（Ｔ２)の座標（Ｃ２）と、の傾きと同じ傾きを有する前記検量線上の位置を求め、前記検量線上の位置に該当する、前記検量線における基準時間(ｔ３)を、ｔ３＝α／｛（Ｃ２−Ｃ１）／（Ｔ２−Ｔ１）｝の式（ただし、αは、検量線を、Ａｎ＝α［log｛ｔ３＋（Ｔｘ−Ｔ１）｝−logｔ３］といった対数曲線で表わしたときの傾き係数であり、ＴｘはワークのＸ線画像データの撮像時点である。）により求め、次いで、前記検量線における前記基準時間(ｔ３)から実際の基準時間（Ｔ３）を求める工程。
（４）前記撮像装置により前記母体内部の前記ワークを撮像し、前記ワークのＸ線画像データの撮像時点（Ｔｘ）と前記実際の基準時間（Ｔ３）との差を、前記検量線における前記基準時間（ｔ３）に加え、前記検量線における撮像時点（ｔｘ）を求め、次いで、前記検量線における撮像時点（ｔｘ）におけるずれ量から、前記検量線における前記基準時間（ｔ３）におけるずれ量を引く工程。
（５）前記ずれ量を補正した上で、前記母体内部における前記ワークの座標を算出する工程。
【請求項８】
前記所定の加工は、前記母体を前記ワークの位置に関連する位置で切断することである、請求項７に記載のマーク形成方法。
【発明の詳細な説明】
【技術分野】
【０００１】
この発明は、位置測定装置および位置測定方法、ならびにマーク形成装置およびマーク形成方法に関するものである。
【０００２】
また、この発明に係る位置測定装置および方法ならびにマーク形成装置および方法は、たとえば積層セラミック電子部品の製造に際して有利に適用される。すなわち、この発明に係る位置測定装置および位置測定方法は、たとえば、セラミックグリーンブロック内部の内部電極パターンの位置を測定するために用いられ、この発明に係るならびにマーク形成装置およびマーク形成方法は、たとえば、セラミックグリーンブロックの切断工程に際しての切断位置の基準を与える基準マークを形成するために用いられる。
【背景技術】
【０００３】
積層セラミックコンデンサなどの積層セラミック電子部品を製造する際には、通常、内部電極パターンが印刷されたセラミックグリーンシートを複数枚積層・圧着してセラミックグリーンブロックを作製し、セラミックグリーンブロックを所定のサイズに切断して、多数のセラミックグリーンチップを作製する、といった各工程を経る。
【０００４】
セラミックグリーンブロックを切断する際には、内部電極パターン間のギャップ部を精度良く切断する必要があるが、内部電極パターンはセラミックグリーンブロックを作製する際に実施される圧着により歪みやすいため、ギャップ部も歪む傾向にある。その上、内部電極パターンはセラミックグリーンブロックの外表面からは見えないため、セラミックグリーンブロックの切断には高度な技術が要求される。
【０００５】
これを受けて、たとえば、特許文献１では、セラミックグリーンブロックに透過光線を照射して得た内部電極パターンの画像に基づいて、セラミックグリーンブロックの切断位置を求めることが提案されている。
【０００６】
しかし、特許文献１に記載の方法では、切断の都度、切断位置データを記録媒体に記憶させ、記録媒体とともにセラミックグリーンブロックを切断装置まで運び、切断装置において切断位置データを読み出して位置合わせを行ない、セラミックグリーンブロックを切断する、という各工程を経るため、切断にかかる時間が長くなってしまうという問題があった。
【０００７】
また、特許文献１に記載の方法において、透過光線としてＸ線を用いて位置測定を行なう場合、経時的な測定ばらつきが生じることがあった。図１７には、Ｘ線照射装置に含まれる典型的なＸ線発生機構５１が示されている。Ｘ線発生機構５１では、陰極５２に接続されたフィラメントから発生した電子５３が、陽極５４に接続されたターゲット５５に高速でぶつかることにより、電子５３の運動エネルギーの一部がＸ線となるが、残りの運動エネルギーが熱となってターゲット５５の温度を上昇させる。この温度上昇のため、ターゲット５５が変形してＸ線発生点が移動してしまう。その結果、Ｘ線画像の中心座標が所定の方向へシフトし、上述したような経時的な測定ばらつきがもたらされるものと推測される。
【０００８】
これを受けて、たとえば、特許文献２では、Ｘ線画像を認識するカメラとの相対位置が既知である補正用認識マークを予め配置しておき、補正用認識マークの計測した位置と補正用認識マークのカメラの相対位置として既知である位置（熱による影響を受けていない位置）との差によりＸ線発生点の移動量を求め、測定対象としてのワークの位置ずれを補正することが提案されている。
【０００９】
しかし、特許文献２に記載の方法では、正確な位置を測定できないことがある。なぜなら、補正用認識マークを認識してからワークを認識するまでにはカメラを移動させるなどのタイムラグがあり、この間もＸ線発生装置は稼働し続け、ターゲットの温度は上昇し続けるからである。すなわち、補正用認識マークを認識した時点でのずれ量に比べて、ワークを認識する時点でのずれ量は微妙に大きくなっているのである。
【００１０】
さらに、ワークの測定すべき位置（座標）が複数ある場合、補正用認識マークを認識してから、ワークの各部位を順次認識していくと、後で測定する座標ほどずれ量が大きくなってしまう。これを避けるために、都度カメラを戻して補正用認識マークのずれ量を測定し直すことが考えられるが、この場合、測定効率が低下してしまう。
【先行技術文献】
【特許文献】
【００１１】
【特許文献１】特開２０００−２１６８０号公報
【特許文献２】特開２００３−２５４７３５号公報
【発明の概要】
【発明が解決しようとする課題】
【００１３】
そこで、この発明の目的は、上述したような問題を解決し得るもので、セラミック電子部品の製造方法において有利に適用される位置測定装置および位置測定方法を提供しようとすることである。
【００１４】
この発明の他の目的は、上述した位置測定装置および位置測定方法を適用するもので、たとえば積層セラミック電子部品の製造において有利に用いられるマーク形成装置およびマーク形成方法を提供しようとすることである。
【課題を解決するための手段】
【００１９】
この発明は、まず、母体内部に配置されたワークの座標を測定する位置測定装置に向けられる。
【００２０】
この発明に係る位置測定装置は、
母体を載置するためのステージと、
電子を発生させる陰極と、陰極から発生した電子がぶつかることによりＸ線を発生させるターゲットと、を含み、Ｘ線をステージに向けて照射するＸ線照射装置と、
Ｘ線照射装置から照射されてステージ上にある母体を透過したＸ線を検出し、母体内部のワークのＸ線画像データを作成する撮像装置と、
撮像装置から送られてきたＸ線画像データを処理することによって、母体内部におけるワークの座標を算出する演算装置と、
を備えている。
【００２１】
そして、前述した技術的課題を解決するため、演算装置には、Ｘ線照射装置が始動してからの経過時間と、ターゲットの変形によって生じる、撮像装置により得られるＸ線画像のずれ量と、の関係をプロットした曲線状の検量線が記憶されており、演算装置は、ワークの撮像時点でのターゲットの変形によって生じた、撮像装置により得られるＸ線画像のずれ量を、検量線に基づいて求め、当該ずれ量を補正した上で、母体内部におけるワークの座標を算出するように構成したことを第１の特徴としている。
【００２２】
なお、Ｘ線照射装置が始動してからの経過時間と、ターゲットの変形によって生じる、撮像装置により得られるＸ線画像のずれ量と、の関係をプロットして得られる上述の検量線の作成を、異なる日にわたって数回繰返して実施したところ、検量線は、良好な再現性を有していることがわかった。
【００２３】
この発明に係る位置測定装置は、上記ステージにキャリブレーションマークが形成されていて、以下のように動作することを第２の特徴としている。
【００２４】
（１）Ｘ線照射装置が始動してから不特定の時間が経過した第１時点（Ｔ１）において、撮像装置によりキャリブレーションマークを撮像し、演算装置において、得られたＸ線画像データからキャリブレーションマークの第１時点（Ｔ１）の座標（Ｃ１）を求める。
【００２５】
（２）第１時点（Ｔ１）から特定の時間が経過した第２時点（Ｔ２）において、撮像装置によりキャリブレーションマークを再び撮像し、演算装置において、得られたＸ線画像データからキャリブレーションマークの第２時点（Ｔ２）の座標（Ｃ２）を求める。
【００２６】
（３）演算装置において、第１時点（Ｔ１）の座標（Ｃ１）と、第２時点（Ｔ２）の座標（Ｃ２）と、の傾きと同じ傾きを有する検量線上の位置を求め、検量線上の位置に該当する、検量線における基準時間（ｔ３）を、ｔ３＝α／｛（Ｃ２−Ｃ１）／（Ｔ２−Ｔ１）｝の式（ただし、αは、検量線を、Ａｎ＝α［log｛ｔ３＋（Ｔｘ−Ｔ１）｝−logｔ３］といった対数曲線で表わしたときの傾き係数であり、ＴｘはワークのＸ線画像データの撮像時点である。）により求め、次いで、検量線における基準時間（ｔ３）から実際の基準時間（Ｔ３）を求める。
【００２７】
（４）撮像装置により母体内部のワークを撮像し、ワークのＸ線画像データの撮像時点（Ｔｘ）と実際の基準時間（Ｔ３）との差を、検量線における基準時間（ｔ３）に加え、検量線における撮像時点（ｔｘ）を求め、次いで、検量線における撮像時点（ｔｘ）におけるずれ量から、検量線における基準時間（ｔ３）におけるずれ量を引く。
【００２８】
（５）ずれ量を補正した上で、母体内部におけるワークの座標を算出する。
【００２９】
この発明は、また、母体内部に配置されたワークの座標を測定する位置測定方法にも向けられる。
【００３０】
この発明に係る位置測定方法は、
ステージ上に、母体を載置する工程と、
Ｘ線照射装置により母体にＸ線を照射する工程と、
撮像装置により母体を透過したＸ線を検出し、母体内部のワークのＸ線画像データを作成する工程と、
Ｘ線画像データを処理することによって、母体内部におけるワークの座標を算出する工程と、
を備えている。
【００３１】
上述したＸ線照射装置は、電子を発生させる陰極と、前記陰極から発生した電子がぶつかることによりＸ線を発生させるターゲットと、を含んでいる。
【００３２】
そして、この発明に係る位置測定方法は、前述した技術的課題を解決するため、Ｘ線照射装置が始動してからの経過時間と、ターゲットの変形によって生じる、撮像装置により得られるＸ線画像のずれ量と、の関係をプロットした曲線状の検量線を作成しておく工程をさらに備え、ワークの座標を算出する工程は、ワークの撮像時点でのターゲットの変形によって生じた、撮像装置により得られるＸ線画像のずれ量を、検量線に基づいて求め、当該ずれ量を補正した上で、母体内部におけるワークの座標を算出する工程を含むことを第１の特徴としている。
【００３３】
この発明に係る位置測定方法は、上記ステージにキャリブレーションマークが形成されており、ワークの座標を算出する工程は、以下の工程を含むことを第２の特徴としている。
【００３４】
（１）Ｘ線照射装置が始動してから不特定の時間が経過した第１時点（Ｔ１）において、撮像装置によりキャリブレーションマークを撮像し、演算装置において、得られたＸ線画像データからキャリブレーションマークの第１時点（Ｔ１）の座標（Ｃ１）を求める工程。
【００３５】
（２）第１時点（Ｔ１）から特定の時間が経過した第２時点（Ｔ２）において、撮像装置によりキャリブレーションマークを再び撮像し、演算装置において、得られたＸ線画像データからキャリブレーションマークの第２時点（Ｔ２）の座標（Ｃ２）を求める工程。
【００３６】
（３）演算装置において、第１時点（Ｔ１）の座標（Ｃ１）と、第２時点（Ｔ２）の座標（Ｃ２）と、の傾きと同じ傾きを有する検量線上の位置を求め、検量線上の位置に該当する、検量線における基準時間（ｔ３）を、ｔ３＝α／｛（Ｃ２−Ｃ１）／（Ｔ２−Ｔ１）｝の式により求め、次いで、検量線における基準時間（ｔ３）から実際の基準時間（Ｔ３）を求める工程。
【００３７】
（４）撮像装置により母体内部のワークを撮像し、ワークのＸ線画像データの撮像時点（Ｔｘ）と実際の基準時間（Ｔ３）との差を、検量線における基準時間（ｔ３）に加え、検量線における撮像時点（ｔｘ）を求め、次いで、検量線における撮像時点（ｔｘ）におけるずれ量から、検量線における基準時間（ｔ３）におけるずれ量を引く工程。
【００３８】
（５）ずれ量を補正した上で、母体内部におけるワークの座標を算出する工程。
【００３９】
この発明は、また、母体内部に配置されたワークの座標に関連する位置に基準マークを形成するためのマーク形成装置にも向けられる。
【００４０】
この発明に係るマーク形成装置は、
母体を載置するためのステージと、
電子を発生させる陰極と、陰極から発生した電子がぶつかることによりＸ線を発生させるターゲットと、を含み、Ｘ線をステージに向けて照射するＸ線照射装置と、
Ｘ線照射装置から照射されてステージ上にある母体を透過したＸ線を検出し、母体内部のワークのＸ線画像データを作成する撮像装置と、
撮像装置から送られてきたＸ線画像データを処理することによって、母体内部におけるワークの座標を算出するとともに、ワークの座標に基づいて基準マークの位置となる基準マーク形成予定位置を算出する演算装置と、
母体における演算装置により算出された基準マーク形成予定位置に、基準マークを形成する基準マーク形成機構と、
を備えている。
【００４１】
そして、この発明に係るマーク形成装置において、演算装置には、Ｘ線照射装置が始動してからの経過時間と、ターゲットの変形によって生じる、撮像装置により得られるＸ線画像のずれ量と、の関係をプロットした曲線状の検量線が記憶されており、演算装置は、ワークの撮像時点でのターゲットの変形によって生じた、撮像装置により得られるＸ線画像のずれ量を、検量線に基づいて求め、当該ずれ量を補正した上で、母体内部におけるワークの座標を算出するように構成したことを第１の特徴としている。
【００４２】
この発明に係るマーク形成装置は、ステージにキャリブレーションマークが形成されており、ワークの座標を算出するため、以下のように動作することを第２の特徴としている。
【００４３】
（１）Ｘ線照射装置が始動してから不特定の時間が経過した第１時点（Ｔ１）において、撮像装置によりキャリブレーションマークを撮像し、演算装置において、得られたＸ線画像データからキャリブレーションマークの第１時点（Ｔ１）の座標（Ｃ１）を求める。
【００４４】
（２）第１時点（Ｔ１）から特定の時間が経過した第２時点（Ｔ２）において、撮像装置によりキャリブレーションマークを再び撮像し、演算装置において、得られたＸ線画像データからキャリブレーションマークの第２時点（Ｔ２）の座標（Ｃ２）を求める。
【００４５】
（３）演算装置において、第１時点（Ｔ１）の座標（Ｃ１）と、第２時点（Ｔ２）の座標（Ｃ２）と、の傾きと同じ傾きを有する検量線上の位置を求め、検量線上の位置に該当する、検量線における基準時間（ｔ３）を、ｔ３＝α／｛（Ｃ２−Ｃ１）／（Ｔ２−Ｔ１）｝の式により求め、次いで、検量線における基準時間（ｔ３）から実際の基準時間（Ｔ３）を求める。
【００４６】
（４）撮像装置により母体内部のワークを撮像し、ワークのＸ線画像データの撮像時点（Ｔｘ）と実際の基準時間（Ｔ３）との差を、検量線における基準時間（ｔ３）に加え、検量線における撮像時点（ｔｘ）を求め、次いで、検量線における撮像時点（ｔｘ）におけるずれ量から、検量線における基準時間（ｔ３）におけるずれ量を引く。
【００４７】
（５）ずれ量を補正した上で、母体内部におけるワークの座標を算出する。
【００４８】
この発明に係るマーク形成装置が有利に適用されるのは、たとえば、前述した母体が、積層された複数のセラミックグリーンシートからなり、内部に未焼成の内部電極パターンが配置された、セラミックグリーンブロックであり、前述したワークが、内部電極パターンである場合である。
【００４９】
この発明に係るマーク形成装置において、ステージは、撮像装置と基準マーク形成機構との間を移動できるように構成されることが好ましい。
【００５０】
また、この発明に係るマーク形成装置において、ステージ、Ｘ線照射装置、撮像装置、および基準マーク形成機構が１つの筐体に収納されることが好ましい。
【００５１】
この発明は、さらに、母体内部に配置されたワークの座標に関連する位置に基準マークを形成するためのマーク形成方法にも向けられる。
【００５２】
この発明に係るマーク形成方法は、
ステージ上に母体を載置する工程と、
Ｘ線照射装置により母体にＸ線を照射する工程と、
撮像装置により母体を透過したＸ線を検出し、母体内部のワークのＸ線画像データを作成する工程と、
Ｘ線画像データを処理することによって、母体内部におけるワークの座標を算出するとともに、ワークの座標に基づいて基準マークの位置となる基準マーク形成予定位置を算出する工程と、
母体における基準マーク形成予定位置に基準マークを形成する工程と、
基準マークに基づいて、母体に対して所定の加工を行なう工程と、
を備えている。
【００５３】
上述したＸ線照射装置は、電子を発生させる陰極と、陰極から発生した電子がぶつかることによりＸ線を発生させるターゲットと、を含む。
【００５４】
そして、この発明に係るマーク形成方法は、Ｘ線照射装置が始動してからの経過時間と、ターゲットの変形によって生じる、撮像装置により得られるＸ線画像のずれ量と、の関係をプロットした曲線状の検量線を作成しておく工程をさらに備え、ワークの座標を算出する工程は、ワークの撮像時点でのターゲットの変形によって生じた、撮像装置により得られるＸ線画像のずれ量を、検量線に基づいて求め、当該ずれ量を補正した上で、母体内部におけるワークの座標を算出する工程を含むことを第１の特徴としている。
【００５５】
この発明に係るマーク形成方法において、上述したステージにキャリブレーションマークが形成されており、ワークの座標を算出する工程は、以下の工程を含むことを第２の特徴としている。
【００５６】
（１）Ｘ線照射装置が始動してから不特定の時間が経過した第１時点（Ｔ１）において、撮像装置によりキャリブレーションマークを撮像し、演算装置において、得られたＸ線画像データからキャリブレーションマークの第１時点（Ｔ１）の座標（Ｃ１）を求める工程。
【００５７】
（２）第１時点（Ｔ１）から特定の時間が経過した第２時点（Ｔ２）において、撮像装置によりキャリブレーションマークを再び撮像し、演算装置において、得られたＸ線画像データからキャリブレーションマークの第２時点（Ｔ２）の座標（Ｃ２）を求める工程。
【００５８】
（３）演算装置において、第１時点（Ｔ１）の座標（Ｃ１）と、第２時点（Ｔ２）の座標（Ｃ２）と、の傾きと同じ傾きを有する検量線上の位置を求め、検量線上の位置に該当する、検量線における基準時間（ｔ３）を、ｔ３＝α／｛（Ｃ２−Ｃ１）／（Ｔ２−Ｔ１）｝の式により求め、次いで、検量線における基準時間（ｔ３）から実際の基準時間（Ｔ３）を求める工程。
【００５９】
（４）撮像装置により母体内部のワークを撮像し、ワークのＸ線画像データの撮像時点（Ｔｘ）と実際の基準時間（Ｔ３）との差を、検量線における基準時間（ｔ３）に加え、検量線における撮像時点（ｔｘ）を求め、次いで、検量線における撮像時点（ｔｘ）におけるずれ量から、検量線における基準時間（ｔ３）におけるずれ量を引く工程。
【００６０】
（５）ずれ量を補正した上で、母体内部におけるワークの座標を算出する工程。
【００６１】
この発明に係るマーク形成方法において、好ましくは、上述の所定の加工は、母体をワークの位置に関連する位置で切断することである。
【発明の効果】
【００６４】
この発明に係る位置測定装置および方法、ならびにマーク形成装置および方法によれば、予め作成しておいた検量線に基づき、ターゲットの経時的な変形を予測して、Ｘ線画像のずれ量を求め、このずれ量を補正した上で、ワークの座標を算出しているので、精度の高い位置測定を行なうことができ、よって、位置精度の高いマーク形成を行なうことができる。
【００６５】
さらに、この発明に係る位置測定装置および方法、ならびにマーク形成装置および方法によれば、ステージにキャリブレーションマークが形成されているので、位置測定またはマーク形成にあたって、キャリブレーションマークの認識は、測定開始時点と特定時間経過後の最低２回だけでよい。したがって、キャリブレーションマークの認識には最小限の時間を費やすだけで済み、測定効率を向上させることができる。
【図面の簡単な説明】
【００６６】
【図１】この発明が適用される積層セラミック電子部品の一例としての積層セラミックコンデンサ１の外観を示す斜視図である。
【図２】図１の線Ａ−Ａに沿う断面図である。
【図３】図１に示した積層セラミックコンデンサ１に備える部品本体２の内部構造を示す平面図である。
【図４】図１に示した積層セラミックコンデンサ１を製造するために用意されるもので、内部電極パターン２２を形成したセラミックグリーンシート２１を示す平面図である。
【図５】図４に示した補正用マーク２５ａ，２５ｂの変形例としての補正用マーク２６を示す拡大平面図である。
【図６】この発明の一実施形態による位置測定装置を含むマーク形成装置３１を切断装置３７とともに図解的に示す正面図である。
【図７】図６に示したマーク形成装置３１に備える撮像装置３４によって画像処理されることによって、２値化されたセラミックグリーンブロック２７の検出イメージを示す図である。
【図８】図７に示した２値化された検出イメージを得るために撮像装置３４によって撮像されたセラミックグリーンブロック２７の像の一部を拡大して示す図である。
【図９】図７に対応する図であって、図６に示したマーク形成装置３１に備える画像処理・演算装置３５によって画像認識されれば十分な内部電極パターン２２を抽出して示す図である。
【図１０】図６に示したステージ３２にセラミックグリーンブロック２７を載せた状態を示す平面図である。
【図１１】図１０に対応する図であって、ステージ３２に載せたセラミックグリーンブロック２７に回転ずれが生じた状態を示す。
【図１２】図７に示したセラミックグリーンブロック２７に基準マーク３９を形成した状態の検出イメージを示す図である。
【図１３】図１２に示した基準マーク３９の形成予定位置を算出するため、内部電極パターン２２の歪み量を考慮して仮想切断線４０を求める方法を説明するための図である。
【図１４】この発明において使用される検量線の一例を示す図である。
【図１５】図６に示したマーク形成装置３１の動作の一例を示すフロー図である。
【図１６】図６に示したマーク形成装置３１によって求められたキャリブレーションマーク２９の第１時点での座標と第２時点での座標との傾きを示す図である。
【図１７】Ｘ線照射装置に含まれる典型的なＸ線発生機構５１を示す図である。
【発明を実施するための形態】
【００６７】
以下に、この発明が適用される積層セラミック電子部品の一例としての積層セラミックコンデンサについて説明する。
【００６８】
図１ないし図３に示すように、積層セラミックコンデンサ１は、部品本体２を備えている。部品本体２は、互いに対向する１対の主面３および４と、互いに対向する１対の側面５および６と、互いに対向する１対の端面７および８とを有する、ほぼ直方体状をなしている。
【００６９】
部品本体２は、図２に示すように、主面３および４の方向に延びかつ主面３および４に直交する方向に積層された複数のセラミック層９と、セラミック層９間の界面に沿って形成された複数対の第１および第２の内部電極１０および１１とをもって構成された積層構造を有している。
【００７０】
図３によく示されているように、第１の内部電極１０は、セラミック層９を介して第２の内部電極１１と対向する、対向部１２と、対向部１２から第１の端面７に引き出され、その端部に露出端１３を形成する、引出し部１４とを有している。また、第１の内部電極１０の平面形状に関して、側面５および６間を結ぶ幅方向で見て、引出し部１４の幅は、対向部１２の幅より徐々に狭くされている。
【００７１】
図３において破線で示した第２の内部電極１１についても、同様に、セラミック層９を介して第１の内部電極１０と対向する、対向部１５と、対向部１５から第２の端面８に引き出され、その端部に露出端１６を形成する、引出し部１７とを有している。第２の内部電極１１は、上述した第１の内部電極１０と対称の平面形状を有している。
【００７２】
上述したように、第１の内部電極１０の対向部１２と第２の内部電極１１の対向部１５とがセラミック層９を介して互いに対向していることによって、これら対向部１２および１５間に電気的特性が発現する。すなわち、この積層セラミックコンデンサ１の場合には、静電容量が形成される。
【００７３】
積層セラミックコンデンサ１は、さらに、内部電極１０および１１の各々の露出端１３および１６にそれぞれ電気的に接続されるように、部品本体２の少なくとも１対の端面７および８上にそれぞれ形成された、外部電極１８および１９を備えている。この実施形態では、外部電極１８および１９は、主面３および４ならびに側面５および６の各一部にまで回り込んだ部分を有している。
【００７４】
内部電極１０および１１のための導電材料としては、たとえば、Ｎｉ、Ｃｕ、Ａｇ、Ｐｄ、Ａｇ−Ｐｄ合金、Ａｕなどを用いることができる。内部電極１０および１１の各厚みは、０．３〜２．０μｍであることが好ましい。
【００７５】
セラミック層９を構成するセラミック材料としては、たとえば、ＢａＴｉＯ３、ＣａＴｉＯ３、ＳｒＴｉＯ３、ＣａＺｒＯ３などを主成分とする誘電体セラミックを用いることができる。誘電体セラミックには、必要に応じて、Ｍｎ化合物、Ｍｇ化合物、Ｓｉ化合物、Ｃｏ化合物、Ｎｉ化合物、希土類元素化合物などの副成分が添加される。
【００７６】
なお、この発明が適用されるのは、積層セラミック電子部品には限らないが、積層セラミック電子部品に適用される場合には、積層セラミックコンデンサ以外の積層セラミック電子部品にも適用されることができる。セラミック層９を構成するセラミック材料としては、積層セラミック電子部品が、たとえば、圧電部品の場合には、ＰＺＴ系セラミックなどの圧電体セラミック、サーミスタの場合には、スピネル系セラミックなどの半導体セラミックが用いられる。
【００７７】
外部電極１７および１８は、図示しないが、下地層と下地層上に形成されるめっき層とで構成されることが好ましい。下地層のための導電材料としては、たとえば、Ｃｕ、Ｎｉ、Ａｇ、Ｐｄ、Ａｇ−Ｐｄ合金、Ａｕなどを用いることができる。下地層は、導電性ペーストを未焼成の部品本体２上に塗布して部品本体２と同時焼成するコファイア法を適用することによって形成されても、導電性ペーストを焼成後の部品本体２上に塗布して焼き付けるポストファイア法を適用することによって形成されてもよい。あるいは、下地層は、直接めっきにより形成されてもよく、熱硬化性樹脂を含む導電性樹脂を硬化させることにより形成されてもよい。
【００７８】
下地層の厚みは、最も厚い部分で、１０〜５０μｍであることが好ましい。
【００７９】
下地層上に形成されるめっき層を構成する金属としては、たとえば、Ｃｕ、Ｎｉ、Ｓｎ、Ｐｂ、Ａｕ、Ａｇ、Ｐｄ、ＢｉおよびＺｎからなる群から選ばれる１種の金属または当該金属を含む合金を用いることができる。めっき層は複数層から構成されていてもよい。このようにめっき層が複数層から構成される場合、好ましくは、Ｎｉめっきおよびその上のＳｎめっきの２層構造とされる。また、めっき膜の厚みは、１層あたり、１〜１５μｍであることが好ましい。
【００８０】
下地層とめっき層との間に、応力緩和用の導電性樹脂層が形成されていてもよい。
【００８１】
次に、上述した積層セラミックコンデンサ１の製造方法について説明する。
【００８２】
まず、セラミック層９となるべきセラミックグリーンシート、内部電極１０および１１のための導電性ペースト、ならびに、外部電極１８および１９のための導電性ペーストがそれぞれ準備される。これらセラミックグリーンシートおよび導電性ペーストには、バインダおよび溶剤が含まれるが、これらバインダおよび溶剤としては、それぞれ、公知の有機バインダおよび有機溶剤を用いることができる。
【００８３】
次に、図４に示すように、セラミックグリーンシート２１上に、たとえばスクリーン印刷法などにより所定のパターンをもって導電性ペーストが印刷される。これによって、内部電極１０および１１の各々となるべき複数の内部電極パターン２２が形成されたセラミックグリーンシート２１が得られる。
【００８４】
図４において、内部電極パターン２２の長手方向（図４による左右方向）に延びる予定切断線２３およびこれに対して直交する幅方向（図４による上下方向）に延びる予定切断線２４が図示されている。セラミックグリーンシート２１は、後述する積層工程の後、上述した予定切断線２３および２４に沿って切断して分割することにより、複数の積層セラミックコンデンサ１のための部品本体２を取り出すことができる寸法を有している。図４に示した予定切断線２３および２４は、積層工程前の設計段階で決められるもので、後述するセラミックグリーンブロック２７を得るための積層および圧着工程を実施した後では、セラミックグリーンブロック２７は、予定切断線２３および２４とは異なる切断線に沿って切断されることもある。この実際の切断のための仮想切断線の決定方法については後述する。
【００８５】
なお、作図上の問題から、図４に示したセラミックグリーンシート２１上に形成される内部電極パターン２２の数は実際の場合より少なくなっている。
【００８６】
セラミックグリーンシート２１の相対向する辺の各中央部近傍には、補正用マーク２５ａおよび２５ｂがそれぞれ形成される。補正用マーク２５ａおよび２５ｂは、上述した内部電極パターン２２を形成する導電性ペーストと同じ導電性ペーストによって、内部電極パターン２２の印刷と同時に形成される。したがって、内部電極パターン２２と補正用マーク２５ａおよび２５ｂとの位置関係は一定である。補正用マーク２５ａおよび２５ｂは、最終的には製品としての積層セラミックコンデンサ１には残らない。
【００８７】
なお、図４において、（Ａ）と（Ｂ）とにセラミックグリーンシート２１を示したのは後述する積層工程の説明の便宜のためであり、（Ａ）に示したセラミックグリーンシート２１と（Ｂ）に示したセラミックグリーンシート２１とは図示した向きが異なるだけで互いに同じである。
【００８８】
図４に示した補正用マーク２５ａおよび２５ｂは、図５に示した補正用マーク２６に置き換えられてもよい。図５に示した補正用マーク２６は、両端の列にある内部電極パターン２２の一部を白抜きにすることによって与えられている。なお、図５に示した内部電極パターン２２は、図４に示した内部電極パターン２２とは形状が異なっているが、このことは本質的な特徴ではない。図５に示した内部電極パターン２２は、形状が簡略化されて図示されていると理解すればよい。
【００８９】
次に、内部電極パターンが印刷されていない外層用セラミックグリーンシートを所定枚数積層し、その上に図４に示した内部電極パターン２２が印刷されたセラミックグリーンシート２１を順次積層し、その上に外層用セラミックグリーンシートを所定枚数積層し、セラミックグリーンブロック２７（図１０等参照）を作製する。内部電極パターン２２が印刷されたセラミックグリーンシート２１を積層するにあたっては、図４（Ａ）に示す向きのセラミックグリーンシート２１と図４（Ｂ）に示す向きのセラミックグリーンシート２１とが交互に積層される。
【００９０】
上述した積層工程後のハンドリング性を良くするため、セラミックグリーンブロック２７の下面には、発泡剥離シートなどの粘着シートを貼りつけておくことが好ましい。
【００９１】
次に、セラミックグリーンブロック２７を静水圧プレスなどの手段により、積層方向にプレスする。
【００９２】
以上の工程を経て得られたセラミックグリーンブロック２７は、図６に示したマーク形成装置３１によって処理される。この発明において測定対象とされる母体は、セラミックグリーンブロック２７であり、その内部に配置された内部電極パターン２２が母体内部に配置されたワークとなる。
【００９３】
マーク形成装置３１は、ステージ３２と、Ｘ線照射装置３３と、撮像装置３４と、画像処理・演算装置３５と、マーク形成機構３６とを有する。マーク形成装置３１には、予め機械的な絶対座標が設定されている。マーク形成装置３１においては、少なくとも、ステージ３２、Ｘ線照射装置３３、撮像装置３４、およびマーク形成機構３６が１つの筺体に収納されていることが好ましい。また、図６において、３個のステージ３２が図示されているが、これは３個のステージ３２が存在するのではなく、１個のステージ３２が移動して取り得る３つの位置を示している。なお、マーク形成装置３１に隣接して切断装置３７が図示されているが、切断装置３７の詳細については後述する。
【００９４】
ステージ３２は、行および列方向（ＸおよびＹ方向）に可動であるとともに、水平面上で９０°回転することもできる。ステージ３２には、図１０に示すように、キャリブレーションマーク２９が形成されている。キャリブレーションマーク２９は、たとえば、アルミナ片を十字形状に彫り込んだ構造によって与えられる。
【００９５】
Ｘ線照射装置３３は、初期位置にあるステージ３２の下方に配置されている。Ｘ線照射装置３３は、図１７を参照して前述したようなＸ線発生機構５１を備えている。図１７に示すように、Ｘ線発生機構５１は、電子５３を発生させる陰極５２と、陰極５２から高速に発射された電子５３をぶつけるターゲット５５とを含む。陰極５２から発生した電子５３がターゲット５５に高速でぶつかることにより、その運動エネルギーの一部がＸ線３８としてステージ３２の方向に照射される。
【００９６】
なお、Ｘ線３８の照射方向は、図示の方向とは逆の上から下に向く方向であってもよい。
【００９７】
撮像装置３４は、初期位置にあるステージ３２の上方に配置されていて、セラミックグリーンブロック２７を透過したＸ線３８を検出する。撮像装置３４としては、エリアセンサ型カメラを用いることができる。
【００９８】
画像処理・演算装置３５は撮像装置３４に接続されている。画像処理・演算装置３５は、たとえば、ＣＰＵおよびメモリにより構成され、画像処理機能と演算機能とを有している。画像処理・演算装置３５は、まず、その画像処理機能に基づき、撮像装置３４で検出されたＸ線３８を画像処理する。
【００９９】
この画像処理にあたっては、たとえば、二値化やエッジ検出などにより、図７に示すように、黒色パターン（網掛け部分）と白色パターンとを含む画像データが作成される。より詳細には、セラミックグリーンブロック２７を透過したＸ線３８によって得られる像は、図８に示すように、内部電極パターン２２における内部電極１０および１１の対向部１２および１５となるべき部分が重なる領域では最も濃く、引出し部１４および１７となるべき部分が重なる領域では中間の濃さとなり、内部電極パターン２２が位置しない領域では最も薄くなる。上述した画像処理では、最も濃くなる内部電極１０および１１の対向部１２および１５となるべき部分が重なる領域を黒色パターンとし、それ以外の領域を白色パターンとするように、画像データが作成される。
【０１００】
また、図４に示した補正用マーク２５ａおよび２５ｂについては、内部電極パターン２２における対向部１２および１５となるべき部分と同様の重なり度合いとなるので、黒色パターンとして認識される。図５に示した補正用マーク２６が適用される場合には、白色パターンとして認識される。
【０１０１】
なお、図７等に図示した内部電極パターン２２ならびに補正用マーク２５ａおよび２５ｂは、それぞれ、内部電極パターン２２ならびに補正用マーク２５ａおよび２５ｂによって得られる像であり、内部電極パターン２２ならびに補正用マーク２５ａおよび２５ｂそのものではない。しかし、説明の便宜のため、内部電極パターンの像についても「２２］の参照符号を用い、また、補正用マーク２５ａおよび２５ｂの各々の像についても、「２５ａ」および「２５ｂ」の参照符号を用いることにする。
【０１０２】
また、画像処理・演算装置３５に備えるメモリには、Ｘ線照射装置３３が始動してからの経過時間と、ターゲット５５の変形によって生じる、撮像装置３４により得られるＸ線画像のずれ量と、の関係をプロットした曲線状の検量線が記憶されている。図１４には、検量線の一例が示されている。なお、検量線は、ＸおよびＹ方向のいずれか一方の方向に対応すれば十分であるが、両方向に対応するように２つの検量線を準備してもよい。
【０１０３】
画像処理・演算装置３５は、内部電極パターン２２の実際の撮像時点でのＸ線画像のずれ量を、上述した検量線に基づいて求め、当該ずれ量を補正した上で、内部電極パターン２２の座標を算出するように構成されている。
【０１０４】
画像処理・演算装置３５は、次に、その演算機能に基づき、上述の画像データを演算処理し、画像データから得られた位置情報、すなわち、セラミックグリーンブロック２７に対して実施される切断の位置を示す基準マーク３９（図１２および図１３参照）の位置となる基準マーク形成予定位置に関する情報をマーク形成機構３６に送る。
【０１０５】
マーク形成機構３６は、画像処理・演算装置３５に接続されており、画像処理・演算装置３５から送られてきた位置情報、すなわち基準マーク形成予定位置に関する情報に基づいて、セラミックグリーンブロック２７の上方主面上に基準マーク３９を形成する。
【０１０６】
基準マーク３９の形成には、レーザ光を照射して基準マーク３９となる細い溝からなる削り痕を付ける方法、打撃を与えて基準マーク３９となる打痕を形成する方法、あるいは印刷インクを用いて基準マーク３９を印刷する方法などを適用することができる。特に、レーザ光照射を適用した場合、印刷法に比べて、基準マーク３９の形成に必要な面積が小さくて済む。このため、内部電極パターン２２の形成可能な面積を広げることが可能となり、１つのセラミックグリーンブロックあたりの取り個数を増やすことができる。なお、図１２および図１３に示した基準マーク３９は、十字形状であり、レーザ光照射によって形成されたものを意図している。
【０１０７】
以下、図１５を参照しながら、マーク形成装置３１の動作、すなわち、マーク形成装置３１による位置測定方法およびマーク形成方法について説明する。
【０１０８】
（１）準備段階として、セラミックグリーンブロック２７を、マーク形成装置３１に備えるステージ３２上に載置する。
【０１０９】
（２）ステージ３２の下方に位置するＸ線照射装置３３を始動させる（図１５…ステップＳ１）。これにより、Ｘ線照射装置３３から、セラミックグリーンブロック２７にＸ線３８を照射し、セラミックグリーンブロック２７を透過したＸ線３８を、ステージ３２の上方に配置された撮像装置３４により検出し得る状態となる。
【０１１０】
（３）Ｘ線照射装置３３が始動してから不特定の時間が経過した第１時点（Ｔ１）において、撮像装置３４によりキャリブレーションマーク２９を撮像し、得られたＸ線画像データから、画像処理・演算装置３５において、キャリブレーションマーク２９の第１時点（Ｔ１）の座標（Ｃ１）を求める（図１５…ステップＳ２）。この座標（Ｃ１）は絶対座標である。
【０１１１】
（４）第１時点（Ｔ１）から特定の時間が経過した第２時点（Ｔ２）において、撮像装置３４によりキャリブレーションマーク２９を再び撮像し、得られたＸ線画像データから、画像・演算装置３５において、キャリブレーションマーク２９の第２時点（Ｔ２）の座標（Ｃ２）を求める（図１５…ステップＳ３）。この座標（Ｃ２）は絶対座標である。上記特定の時間は、たとえば、１０〜４０秒とされる。
【０１１２】
（５）画像処理・演算装置３５において、図１６に示すように、第１時点（Ｔ１）の座標（Ｃ１）と、第２時点（Ｔ２）の座標（Ｃ２）と、の傾きを求める。図１６において、第１時点（Ｔ１）と第２時点（Ｔ２）との差がΔＴで示され、座標（Ｃ１）と座標（Ｃ２）との差がΔＣで示されている。
【０１１３】
（６）画像処理・演算装置３５において、図１４に示すように、第１時点（Ｔ１）の座標（Ｃ１）と第２時点（Ｔ２）の座標（Ｃ２）との傾きと同じ傾きを有する直線と曲線状の検量線とが接する点（Ｃ３）を求める。すなわち、座標（Ｃ１）と座標（Ｃ２）との傾きと同じ傾きを有する検量線上の位置（Ｃ３）を求める。そして、この検量線上の位置（Ｃ３）に該当する、検量線における基準時間（ｔ３）を求める。次いで、検量線における基準時間（ｔ３）から実際の基準時間（Ｔ３）を求める。これにより、今、検量線のどの時間帯で処理が行なわれているか知ることができる。
【０１１４】
ここで重要なのは、基準となる第１時点（Ｔ１）をＸ線照射装置３３の始動時間とせず、座標の傾きを求めていることである。第１時点（Ｔ１）を始動時間としてそこからの経過時間に基づいてずれ量を求める場合、Ｘ線照射装置３３をオフにして完全に冷却しないと補正を行なうことができないため、測定効率が低下してしまう。たとえば、３０分程度待機しなければならない。一方、本実施形態によれば、Ｘ線照射装置３３を長時間オフにする必要がなく、比較的短い間隔でオン／オフを繰り返している状態でも補正を行なうことができるため、測定効率が高い。
【０１１５】
なお、近似的には、第１時点（Ｔ１）と第２時点（Ｔ２）との間の時間間隔が微小であるので、Ｔ１＝Ｔ３とみなして、実際の基準時間（Ｔ３）の代わりに第１時点（Ｔ１）が特定されてもよい。
【０１１６】
（７）撮像装置３４により補正用マーク２５ａおよび２５ｂを検出する（図１５…ステップ４）。画像処理・演算装置３５による画像処理において、図１０に示すように、一方の補正用マーク２５ａを相対座標の原点とし、この補正用マーク２５ａから他方の補正用マーク２５ｂを結ぶ方向をＸ軸とする相対座標（Ｘ，Ｙ）を定める。これにより、補正用マーク２５ａを原点として、各内部電極パターン２２の相対座標（Ｘ，Ｙ）を定義することができる。また、図１１に示すように、上述の相対座標（Ｘ，Ｙ）が回転方向にずれた場合、機械的な絶対座標の座標軸に対して、相対座標（Ｘ，Ｙ）の座標軸がどれだけ回転してずれているかを知ることができる。
【０１１７】
（８）撮像装置３４により内部電極パターン２２を検出し、画像処理・演算装置３５において、内部電極パターン２２の画像データを作成する（図１５…ステップＳ５）。
【０１１８】
上記の画像処理にあたっては、内部電極パターン２２を全数認識する必要はない。行および列をなすようにマトリクス状に配列された内部電極パターン２２のうち、周縁部および中央部に位置する内部電極パターン２２のみを見れば十分である。たとえば、図９に示すように、内部電極パターン２２が配列された領域の周縁の４辺に沿う部分に位置している内部電極パターン２２と、各辺の垂直二等分線上に位置している内部電極パターン２２との合計３３個の内部電極パターン２２について、画像認識すれば十分である。
【０１１９】
次に、画像処理・演算装置３５において、内部電極パターン２２のＸ線画像データを取得した時点におけるＸ線画像のずれ量を検量線から算出し、ずれ量を補正した上で、セラミックグリーンブロック２７内部における各内部電極パターン２２の座標を算出する。このように、内部電極パターン２２を撮像した時点がわかっていれば、検量線をもとにして、ずれ量を予測することが可能である。このため、精度の高い位置測定が可能となる。
【０１２０】
より詳細には、撮像装置３４により内部電極パターン２２を撮像し、内部電極パターン２２の撮像時点（Ｔｘ）と実際の基準時間（Ｔ３）との差を、検量線における基準時間（ｔ３）に加え、検量線における撮像時点（ｔｘ）を求め、次いで、検量線における撮像時点（ｔｘ）におけるずれ量から、検量線における基準時間（ｔ３）におけるずれ量を引く。そして、このずれ量を補正した上で、セラミックグリーンブロック２７内部における各内部電極パターン２２の座標を算出する。
【０１２１】
このようにして、まず、各内部電極パターン２２の相対座標が求められ、これらについて、キャリブレーションマーク２９をもとにしたＸ線画像のずれ量の補正が加わり、さらに、前述した補正用マーク２５ａおよび２５ｂをもとにした回転ずれ量の補正が加わり、最終的に、各内部電極パターン２２の絶対座標が求められる。
【０１２２】
【表１】
0005776473.tif 000002
【０１２３】
上述した図１５のステップＳ１〜Ｓ５を、表１を参照しながら、具体例に基づき説明すると、まず、「マーク検出（１）」に示すように、Ｘ線照射装置３３を始動してから１０秒後の第１時点（Ｔ１）において、キャリブレーションマーク２９を検出して求められた座標（Ｃ１）が「０．０１０ｍｍ」であった。
【０１２４】
次に、「マーク検出（２）」に示すように、Ｘ線照射装置３３を始動してから２０秒後の第１時点（Ｔ２）において、キャリブレーションマーク２９を検出して求められた座標（Ｃ２）が「０．０２０ｍｍ」であった。
【０１２５】
これらの測定結果を、
ｔ３＝α／｛（Ｃ２−Ｃ１）／（Ｔ２−Ｔ１）｝    …［式１］
に代入すると、第１時点（Ｔ１）の座標（Ｃ１）と第２時点（Ｔ２）の座標（Ｃ２）との傾きと同じ傾きを有する直線と曲線状の検量線とが接する点（Ｃ３）に該当する、「検量線における基準時間（ｔ３）」が求まる。この具体例では、「検量線における基準時間（ｔ３）」は「２２秒」であった。
【０１２６】
なお、αは、検量線を、
Ａｎ＝α［log｛ｔ３＋（Ｔｘ−Ｔ１）｝−logｔ３］    …［式２］
といった対数曲線で表わしたときの傾き係数であり、図１４に示した検量線の場合には、「検量線における傾き係数（α）」は「０．０２２」であった。
【０１２７】
次に、内部電極パターン２２の測定を、「始動からの撮像時点（Ｔｘ）」に示すように「３１０秒」後に行なうとすれば、Ｔｘ＝３１０を上記式２に代入することによって、「補正値（Ａｎ）」として「０．０５９ｍｍ」が求まる。
【０１２８】
そして、「対象座標測定値（Ｘｎ）」が「１．０００ｍｍ」であれば、これに「補正値（Ａｎ）」の「０．０５９ｍｍ」を加えることによって、「真の対象座標」として「１．０５９ｍｍ」が求まる。
【０１２９】
（９）上述のように、各内部電極パターン２２の絶対座標が求められた後、Ｘ線照射装置３３がオフされる（図１５…ステップＳ６）。
【０１３０】
（１０）画像処理・演算装置３５において、内部電極パターン２２の相対座標（Ｘ，Ｙ）から、図１２に示すような仮想切断線４０の位置が算出される。このとき、図１３に示すように、内部電極パターン２２に歪みが生じている場合、この歪み量を計算し、内部電極パターン２２との間で最大間隔を確保できる仮想切断線４０の位置を算出する。
【０１３１】
上述した仮想切断線４０の両端が基準マーク形成予定位置となる。基準マーク形成予定位置の相対座標から、基準マーク形成予定位置の機械的な絶対座標が算出される。このとき、回転ずれ量の補正も行なわれる。また、ステージ３２の移動距離も反映される。
【０１３２】
（１１）ステージ３２を動かして、図６に示したマーク形成機構３６までセラミックグリーンブロック２７を移動させ、図１２および図１３に示すように、基準マーク形成予定位置に基準マーク３９を形成する（図１５…ステップＳ７）。
【０１３３】
基準マーク３９は、セラミックグリーンブロック２７の上方主面上の外周縁に形成される。この実施形態においては、前述したように、基準マーク３９は十字形状であり、レーザ照射によって形成される。
【０１３４】
なお、基準マーク３９は、もともと指定した座標どおりに形成されないことがある。これは、マーク形成装置３１内部において、Ｘ線照射装置３３のある部位が熱膨張した場合、撮像装置３４とマーク形成機構３６との間の距離がわずかに変化するためである。
【０１３５】
この熱膨張によるずれを補正するためには、たとえば、マーク形成機構３６において、まず基準マーク３９を１つだけ形成する。しかも、その１つの基準マーク３９は、本来の基準マーク３９の形成予定位置とは離れた場所に形成しておく。次に、再びステージ３２を撮像装置３４に戻し、撮像装置３４により基準マーク３９を撮像して熱膨張によるずれ量を求める。次に、再びステージ３２をマーク形成機構３６に戻し、上記ずれ量を補正した座標に、基準マーク３９を形成する。
【０１３６】
このような補正を行なうにあたって、基準マーク３９は撮像装置３４で撮像できる形状、すなわちＸ線で検出できる形状であることが好ましい。なぜなら、撮像装置３４を共用することにより、マーク形成装置３１の小型化およびコストダウンを図ることができるためである。たとえば、基準マーク３９を彫る深さを制御することにより、Ｘ線で検出可能なレベルに調整することができる。
【０１３７】
図１５に示したフロー図の変形例として、内部電極パターン測定ステップＳ５の一部、たとえば、３３個の内部電極パターン２２のうち、いくつかの内部電極パターン２２についての測定ステップを、キャリブレーションマーク検出（１）ステップＳ２とキャリブレーションマーク検出（２）ステップＳ３との間の待ち時間を利用して実施するようにしてもよい。また、補正用マーク検出ステップＳ４についても、キャリブレーションマーク検出（１）ステップＳ２とキャリブレーションマーク検出（２）ステップＳ３との間の待ち時間を利用して実施するようにしてもよく、あるいは、キャリブレーションマーク検出（１）ステップＳ２の前に実施してもよい。
【０１３８】
以上のようにマーク形成装置３１によって基準マーク３９が形成された後、セラミックグリーンブロック２７に対して、所定の加工、より具体的には、図６に示した切断装置３７によって、切断加工が施される。すなわち、ステージ３２とともに、セラミックグリーンブロック２７を切断装置３７に移送し、切断刃４１によってセラミックグリーンブロック２７を切断し、積層セラミックコンデンサ１の部品本体２となる多数のセラミックグリーンチップを得る。
【０１３９】
切断装置３７では、切断用撮像装置４２により基準マーク３９を撮像し、その画像データを切断用画像処理・演算装置４３に送り、仮想切断線４０の位置を算出する。ここで、解析すべき画像データの量が少ないため、処理速度が速い。
【０１４０】
その後、セラミックグリーンチップは焼成され、焼結した部品本体２が得られる。次いで、部品本体２の両端面に導電性ペーストを塗布し、焼き付けることによって、外部電極１８および１９が形成され、積層セラミックコンデンサ１が得られる。
【０１４１】
なお、上述した実施形態では、基準マーク形成後の加工として切断加工を例に挙げたが、位置合わせ、ビアホール形成、その他加工を行なうことも可能である。
【符号の説明】
【０１４２】
１  積層セラミックコンデンサ
２  部品本体
９  セラミック層
１０，１１  内部電極
１２，１５  対向部
１４，１７  引出し部
２１  セラミックグリーンシート
２２  内部電極パターン
２３，２４  予定切断線
２７  セラミックグリーンブロック
２９  キャリブレーションマーク
３１  マーク形成装置
３２  ステージ
３３  Ｘ線照射装置
３４  撮像装置
３５  画像処理・演算装置
３６  マーク形成機構
３７  切断装置
３８  Ｘ線
３９  基準マーク
４０  仮想切断線
４１  切断刃
４２  切断用撮像装置
４３  切断用画像処理・演算装置
５１  Ｘ線発生機構
５２  陰極
５３  電子
５５  ターゲット
【図１】
0005776473.tif 000003
【図２】
0005776473.tif 000004
【図３】
0005776473.tif 000005
【図４】
0005776473.tif 000006
【図５】
0005776473.tif 000007
【図６】
0005776473.tif 000008
【図７】
0005776473.tif 000009
【図８】
0005776473.tif 000010
【図９】
0005776473.tif 000011
【図１０】
0005776473.tif 000012
【図１１】
0005776473.tif 000013
【図１２】
0005776473.tif 000014
【図１３】
0005776473.tif 000015
【図１４】
0005776473.tif 000016
【図１５】
0005776473.tif 000017
【図１６】
0005776473.tif 000018
【図１７】
0005776473.tif 000019